(57)【要約】      （修正有）【課題】帆立貝の耳片に設けた掛止孔に係止ピンの先端部の係止部を挿入し、抜止片で掛止孔から係止部の抜け出しを規制する際、係止ピンが１８０°回転して係止部が反転した状態において、係止ピンの抜止片の帆立貝耳片の掛止孔から抜け出すのを簡素な構造で確実に防止し、帆立貝の養殖を効率良く行わせるようにした帆立貝養殖用の係止ピンを提供する。【解決手段】軸部２の先端部３に、軸方向後方に斜め上方に延出する抜止片５を備え、先端部が銛状で、その形状が略∠形の係合部を構成し、先端部の係合部を帆立貝９の耳片９ａに穿設した掛止孔９ｂに挿通し、挿通後に抜止片５が立ち上がって掛止孔９ｂ周辺部に抜止片５の先端部５ｃが当接し、抜止片５により掛止孔９ｂから係合部の抜け出しを防止するようにした抜止片５を備え、合成樹脂で形成した帆立貝養殖用の係止ピンであり、抜止片５の外側面（上面）に、外方（上方）に突出する抜止用突起８を設けた。【選択図】図５
0003144968.tif 000002
【実用新案登録請求の範囲】
【請求項１】
軸部先端部に、軸方向後方に斜め上方に延出する抜止片を備え、先端部が銛状で、その形状が略∠形の係合部を構成し、先端部の係合部を帆立貝の耳片に穿設した掛止孔に挿通し、挿通後に抜止片が立ち上がって掛止孔周辺部に抜止片の先端部が当接し、抜止片により掛止孔から係合部の抜け出しを防止するようにした抜止片を備え、合成樹脂で形成した帆立貝養殖用の係止ピンにおいて、
前記抜止片の外側面（上面）に、外方（上方）に突出する抜止用突起を設けた、
ことを特徴とする帆立貝養殖用の係止ピン。
【請求項２】
前記抜止片に設けた前記抜止用突起は、抜止片の長さ方向に複数有することを特徴とする請求項１に記載の帆立貝養殖用の係止ピン。
【請求項３】
前記抜止片に設けた抜止用突起は、抜止片の長さ方向に離間して設けた複数の柱状突起であることを特徴とする請求項１または請求項２に記載の帆立貝養殖用の係止ピン。
【請求項４】
前記抜止片に設けた抜止用突起は、抜止片の長さ方向に離間して設けた複数の切り起し片であることを特徴とする請求項１または請求項２に記載の帆立貝養殖用の係止ピン。
【請求項５】
前記抜止片に設けた抜止用突起は、抜止片の長さ方向に設けた複数の山谷部からなる鋸歯状であることを特徴とする請求項１または請求項２に記載の帆立貝養殖用の係止ピン。
【請求項６】
前記抜止片に設けた抜止用突起は、ローレット状の凹凸であることを特徴とする請求項１または請求項２に記載の帆立貝養殖用の係止ピン。
【請求項７】
前記抜止片は、軸部の両端部に備えることを特徴とする請求項１〜請求項６の何れか１項に記載の帆立貝養殖用の係止ピン。
【請求項８】
前記抜止片の抜止用突起は、帆立貝の耳片に穿設した掛止孔からの抜け出しを阻止するように傾斜していることを特徴とする請求項１〜請求項７何れか１項に記載の帆立貝養殖用の係止ピン。
【請求項９】
前記軸部の軸方向中央部には、ロープの抜止片を有することを特徴とする請求項１〜請求項８の何れか１項に記載の帆立貝養殖用の係止ピン。
【考案の詳細な説明】
【技術分野】
【０００１】
本考案は、帆立貝の養殖に際し、帆立貝の係止ピンからの抜け出しを防止するようにした帆立貝養殖用の係止ピンの改良に関するものである。
【背景技術】
【０００２】
図１１は、帆立貝養殖における帆立貝の支持状態を示す説明図であり、（ａ）に示すように、海中に垂らしたロープ１００に、係止ピン１０１をロープの長さ方向に対して、直交するように、ロープ１００を貫通して装着し、係止ピン１０１は、ロープの長さ方向に所定ピッチ間隔を開けて多数本装着されており、図１１の（ａ）では、図の状態で係止ピン１０１は上下方向に所定ピッチを開けて装着されている。
係止ピン１０１の軸部１０２の尖鋭な先端部１０３，１０３は、両端部で対称的な向きの∠状をなし、先端部１０３，１０３には、軸部の径方向外方に、軸方向内方に対称的に向かい合う傾斜した抜止片１０４，１０４を備える。抜止片１０４，１０４は、可撓性を有すると共に、径方向外方に傾斜する弾性を備える。軸部１０２の中間部には、この例では「ハ」形のロープの抜止部１０５，１０５を備える。
係止ピン１００は、各部一体に合成樹脂で形成されている。
【０００３】
係止ピン１０１の両先端部１０３，１０３に、帆立貝１１０，１１０（稚貝）を耳片１１０ａ，１１０ａに穿設した掛止孔１１１（図１１の（ｂ）以降を参照）を介して矢印のように通し、軸部１０２の両端部の小径部１０２ａ，１０２ａに帆立貝の耳片の孔を臨ませ、この際、抜止片１０４，１０４は、耳片の掛止孔を矢印のように通す過程で小径部１０２ａ，１０２ａ方向に撓み、耳片１１０ａ，１１０ａの孔を通る。耳片１１０ａ，１１０ａの孔を通過後、抜止片１０４，１０４は復帰弾力により径方向外方に∠状に突出し、耳片１１０ａ，１１０ａの掛止孔周辺部と当接し、帆立貝１１０，１１０の係止ピン１０１からの抜け出しを防止する。この状態が図１１の（ａ）で示す状態である。
【０００４】
以上のように、帆立貝１１０，１１０は、ロープ１００に係止し、海中に垂らした状態で養殖を行うが、潮流、ロープの揺れ、暴れ、帆立貝の生育の過程での運動や暴れ等により、係止ピン１０１が図１１の（ｂ）のように矢印方向に回転し、先端部１０３が（ｂ）から１８０°回転し、同図（ｃ）のように下向きとなる場合がある。
下向きとなった抜止片１０４は、帆立貝の重量によって先端部１０３が撓んで下方に湾曲することもあって、抜止片１９４の先端部が帆立貝１１０の掛止孔１１１周辺部の湾曲した外面に当接する。
この結果、湾曲面にガイドされて矢印のように撓曲し（図１１の（ｃ）参照）、抜止片１０４の先端部が掛止孔１１１の臨み（図１１の（ｄ）参照）、撓曲の進行で掛止孔１１１内に掛止片１０４が矢印のように侵入し（図１１の（ｄ），（ｅ）参照）、帆立貝１１０の運動やロープ１００の揺れにより、帆立貝１１０は、掛止孔１１１内において同図（ｅ）のように動き、鎖線１１０Ａで示したように、帆立貝は係止ピンから外れることとなる。
【０００５】
従来、上記した不都合を解決する手法として、出願人が提案した帆立貝養殖用の係止ピンが知られている（例えば、特許文献１参照。）。
【特許文献１】特開２００２−１７１８６２号公報
【０００６】
特許文献１の係止ピンは、先端部が∠状の係止ピンの抜止片を円弧状に湾曲させ、抜止片の先端部を掛止ピンの先端部方向に湾曲させるようにした構造である。
【０００７】
以上の特許文献１の係止ピンは、抜止片が樹脂の薄片で形成され、撓曲性を有すること等から、掛止した帆立貝耳片の掛止孔から撓んで抜け出しを防止する作用が充分とは言い難い。このため、同公報の図３、図４、図６に示すように、掛止孔（支持孔）を大径、小径の二段とし、大径部側から掛止孔への挿入を容易化し、小径孔を通して抜止片の抜け止めを阻止する構成である。
従って、帆立貝耳片への孔加工が面倒、煩雑であること、実際には、小径孔を設けても、抜止片の抜け出しは充分に阻止し難いこと等の不都合がある。
本考案は、以上の問題点を解決すべくなされたものである。
【考案の開示】
【考案が解決しようとする課題】
【０００８】
本考案は、帆立貝の耳片に設けた掛止孔に係止ピンの先端部の係止部を挿入し、抜止片で掛止孔から係止部の抜け出しを規制する際、係止ピンが１８０°回転して係止部が反転した状態において、係止ピンの抜止片の帆立貝耳片の掛止孔から抜け出すのを簡素な構造で確実に防止し、帆立貝の養殖を効率良く行わせるようにした帆立貝養殖用の係止ピンを提供することを課題とする。
【課題を解決するための手段】
【０００９】
請求項１に係る考案は、軸部先端部に、軸方向後方に斜め上方に延出する抜止片を備え、先端部が銛状で、その形状が略∠形の係合部を構成し、先端部の係合部を帆立貝の耳片に穿設した掛止孔に挿通し、挿通後に抜止片が立ち上がって掛止孔周辺部に抜止片の先端部が当接し、抜止片により掛止孔から係合部の抜け出しを防止するようにした抜止片を備え、合成樹脂で形成した帆立貝養殖用の係止ピンにおいて、前記抜止片の外側面（上面）に、外方（上方）に突出する抜止用突起を設けたことを特徴とする。
【００１０】
請求項２に係る考案は、請求項１において、前記抜止片に設けた前記抜止用突起は、抜止片の長さ方向に複数有することを特徴とする。
【００１１】
請求項３に係る考案は、請求項１または請求項２において、前記抜止片に設けた抜止用突起は、抜止片の長さ方向に離間して設けた複数の柱状突起であることを特徴とする。
【００１２】
請求項４に係る考案は、請求項１または請求項２において、前記抜止片に設けた抜止用突起は、抜止片の長さ方向に離間して設けた複数の切り起し片であることを特徴とする。
【００１３】
請求項５に係る考案は、請求項１または請求項２において、前記抜止片に設けた抜止用突起は、抜止片の長さ方向に設けた複数の山谷部からなる鋸歯状であることを特徴とする。
【００１４】
請求項６に係る考案は、請求項１または請求項２において、前記抜止片に設けた抜止用突起は、ローレット状の凹凸であることを特徴とする。
【００１５】
請求項７に係る考案は、請求項１〜請求項６の何れか１項において、前記抜止片は、軸部の両端部に備えることを特徴とする。
【００１６】
請求項８に係る考案は、請求項１〜請求項７の何れか１項において、前記抜止片の抜止用突起は、帆立貝の耳片に穿設した掛止孔からの抜け出しを阻止するように傾斜していることを特徴とする。
【００１７】
請求項９に係る考案は、請求項１〜請求項８の何れか１項において、前記軸部の軸方向中央部には、ロープの抜止片を有することを特徴とする。
【考案の効果】
【００１８】
請求項１に係る考案では、抜止片の外側面（上面）に、外方（上方）に突出する抜止用突起を設けたので、係止ピンが１８０°反転して帆立貝の掛止孔に抜止片の先端部が接し、帆立貝の外側面にガイドされて撓曲しても、抜止片の係止用突起が掛止孔に衝合し、掛止孔への侵入が阻止され、帆立貝の係止ピンからの抜け出しを防止することができる。
また、樹脂成形に際し、抜止片に掛止用突起を成形するので、成形容易に、安価に、抜け止め効果の高い帆立貝養殖用の係止ピンを得ることができる。
【００１９】
請求項２に係る考案では、抜止片に設けた抜止用突起は、抜止片の長さ方向に複数有するので、掛止孔に抜止片が臨んだ際、万一、一つの抜止用突起が掛止孔に侵入しても、次の抜止用突起が掛止孔の周辺部で踏ん張り、抜止片の掛止孔からの抜け出しを防止する。従って、高い抜け止め効果が得られる。
【００２０】
請求項３に係る考案では、抜止片に設けた抜止用突起を抜止片の長さ方向に離間して設けた複数の柱状突起としたので、柱状突起で掛止孔に対し高い抜け止め効果が得られ、また、柱状突起は複数設けられているので、一つの柱状突起が掛止孔に侵入しても、次の柱状突起が掛止孔の周辺部で踏ん張り、抜止片の掛止孔からの抜け出しを防止する。従って、高い抜け止め効果が得られる。
【００２１】
請求項４に係る考案では、抜止片に設けた抜止用突起を抜止片の長さ方向に離間して設けた複数の切り起し片で構成したので、切り起こし片の掛止孔周辺部や掛止孔に対する衝合で踏ん張り、高い抜け止め効果が得られるとともに、抜止片を厚肉に形成し、これに切り起こし片を形成すれば抜止用突起が得られるので、成形が容易で、安価に、抜け止め効果に優れる係止ピンが得られる。
【００２２】
請求項５に係る考案では、抜止片に設けた抜止用突起は、抜止片の長さ方向に設けた複数の山谷部からなる鋸歯状としたので、掛止孔の周辺部や掛止孔内で鋸歯状に引っ掛って高い抜け止め効果を得ることができる。
【００２３】
請求項６に係る考案では、抜止片に設けた抜止用突起をローレット状の凹凸としたので、掛止孔の周辺部や掛止孔内で凸部が引っ掛って高い抜け止め効果を得ることができるとともに、抜止片の外面に凹凸からなるローレット状部分を設けるだけなので、成形容易に、安価に、抜け止め効果の高い帆立貝養殖用の係止ピンを得ることができる。
【００２４】
請求項７に係る考案では、抜止片を軸部の両端部に備えるので、二つの帆立貝を、係止ピンの両端部に、高い抜け出し防止効果を確保しつつ掛止し得る係止ピンを得ることができる。
【００２５】
請求項８に係る考案では、抜止片の抜止用突起を、帆立貝の耳片に穿設した掛止孔からの抜け出しを阻止するように傾斜させたので、掛止孔からの抜け止めに際し、高い抜け止め効果が得られるとともに、高い抜け止め効果を、抜止用突起を傾斜させる、という簡素な構造で実現できる。
【００２６】
請求項８に係る考案では、軸部の軸方向中央部にロープの抜止片を有するので、係止ピン自身のロープからの抜け出し防止効果の高いものが得られる。
【考案を実施するための最良の形態】
【００２７】
本考案を実施するための最良の形態を添付図に基づいて以下に説明する。なお、図面は符号の向きに見るものとする。
図１は、本考案に係る帆立貝養殖用の係止ピンの単体を示す斜視図、図２は、単体として切り離す直前の状態を示す説明図である。
帆立貝養殖用の係止ピン（以下係止ピンと記す）１は丸棒状の軸部２の両端に尖鋭な先端部３，３を有し、両端の各先端部３，３の手前には、軸方向内方から先端部方向に傾斜部２ａ，２ａを経て連続する小径部４，４を有する。
【００２８】
小径部４，４の先部から軸方向外方、即ち先端部方向に軸部２と同径となり、形状が＞（反対側では＜）の形状とした尖鋭な先端部３，３に繋がる。
小径部４，４の先端部から径方向外方に起き上がり、且つ軸方向内方に傾斜した抜止片５，５が両端部で対称に設けられている。
これにより、軸部の両端部に、尖鋭な先端部３及び抜止片５等からなる∠状の係合部が、対称に形成される。
上記の抜止片５，５は、各基部５ａ，５ａは、先端部３，３の上流部で、軸部と同径の先部３ａ，３ａに連続し、実施の形態では、若干軸方向内方に向かいつつ外方に湾曲して形成さている（図３も参照）。
【００２９】
以上の係止ピン１の軸部２の長さ方向中間部には、実施の形態では抜止片５，５と同側に突出する一対のロープ抜止片６，６を突設し、ロープ抜止片６，６は、実施の形態では「ハ」形に突設され、ロープ抜止片６，６間の間隔は、ロープの外径と略一致する。
図１は、切り離された係止ピン１の単体を示している。
以上の係止ピン１は、各部合成樹脂で、全一体に成形する。
【００３０】
係止ピン１は、図２に示したように、実施の形態では軸部２…（…は複数を表す。以下同じ）を平行に多数本所定ピッチ離間して並べ、係止ピン１…の各軸部２の軸方向に離間して設けた片状や紐状の連結片７，７…で、軸部２…相互を連結して成形する。
従って、図２に示したように、係止ピン１…は、図の上下方向に極めて多数本並べて成形されており、連結片７，７…を切断することで、係止ピン１…を取り出す。
【００３１】
図３は、係止ピンの一方の先端部の拡大側面図、図４は、同平面図である。
係止ピン１の軸部２の両端の先端部３の軸方向の上流部には、前記した抜止片５は夫々設けられたが、該各帆立貝掛止片５，５の外面（上面）に、掛止用突起８…を突設する。
掛止用突起８…は、この実施の形態では山形をなし、抜止片５の上面において長さ方向に離間して３つ突設され、後面８ａは、急角度後方（軸部の軸方向内方）に傾斜して起立し、後面８ｂは緩い角度同方向に傾斜している。
【００３２】
実施の形態では、図４に示すように、抜止片５が、基部が幅が広く、先部（後端部）方向に幅が狭く設定されているので、掛止用突起８…は、抜止片５の基部から先部にかけて順次幅が狭くなるように設定した。
【００３３】
図５は、係止ピンの先端部である係止部に帆立貝を掛止し、係止ピンが反転した状態における抜止片の抜け止め作用を説明する図である。
この図に従って説明する。
９は帆立貝を示し、耳片９ａに掛止孔９ｂが穿設されており、掛止孔９ｂに係止ピン１の係合部である尖鋭な先端部３を通し、同係合部の主要部である抜止片５を、該掛止孔９ｂに通す。
【００３４】
掛止孔９ｂを抜止片５が通過する際、該掛止片５は可撓性を有するので小径部４方向に撓み、掛止孔９ｂ内を通過する。通過の差異、抜止用突起８…が抵抗となるが、抜止用突起８…は、前記したように掛止孔９ｂに接する後面８ｂは上記した通り傾斜面であり、抜止用突起８…が撓曲性を有することもあって、小径部４方向に容易に撓み、円滑に、容易に掛止孔９ｂ内を通過して、該掛止孔９ｂ周辺部に、前記した図１１（ａ）と同様に抜止片５の先部は当接し、一次的には係止ピンの両端の先端部３，３に、帆立貝を係止ピンの先端（両端）に掛止することとなる。
【００３５】
ところで、前記した通り係止ピン１は、ロープにロープ抜止片６，６によって係止され、保持されるが、前記した通り潮流、ロープの揺れ、暴れ、帆立貝の生育の過程での運動や暴れ等により、係止ピン１が回転し、先端部３が１８０°回転（反転）し、下向きとなる場合がある。
図５はこの状態を示し、下向きとなった抜止片５は、先端部５ｃが帆立貝９の外面９ｃに当接してこの湾曲面にガイドされて撓曲し、掛止孔９ｂ方向に曲がり、先端部５ｃは掛止孔９ｂに臨む。
【００３６】
抜止片５の先端部５ｃの外面には、前記した通り抜止用突起８…が突出しており、先端部５ｃが若干掛止孔９ｂに臨んでも、抜止用突起８、図のように先ず１段目の抜止用突起８Ａが掛止孔９ｂの周辺部に当接し、突っ張り作用で抜止片５の先端部５ｃの掛止孔９ｂへの侵入を阻止する。
このように、抜止用突起８の作用で、帆立貝耳片に設けた掛止孔９ｂから、抜止片５の抜け出しを阻止する。
【００３７】
ところで、万一、抜止片５の先部の撓みが大きくなり、１段目の抜止用突起８Ａが掛止孔９ｂ内に侵入したとしても、次の２段目の掛止用突起が同様の作用を行い、抜止片５の抜け出しを阻止する。
掛止用突起８は、このように多段に亘り抜け止め作用を行い、抜止片による帆立貝の係止ピンからの抜け止めを確実に行う。
【００３８】
図６は、本考案に係る係止ピンの第２実施例を示す説明的斜視図である。
本実施例では、抜止片５の外面に設ける抜止用突起１８…を基部が太く、先部が細い円錐台形状としたもので、実施の形態では、前記実施例と同様に３つ設けたものである。
本実施例においても、抜け止め作用を行うことは、前記した実施例と同様である。
【００３９】
図７は、本考案に係る係止ピンの第３実施例を示す説明的斜視図である。
本実施例では、抜止片５の外面に、外面の一部を切り欠いて斜め外方に先端部が起き上がる切り起こし片類似のものを形成し、抜止用突起２８…としたものである。
本実施例においても、抜け止め作用を行うことは、前記した実施例と同様である。
【００４０】
図８及び図９は、本考案に係る係止ピンの第４実施例を示す要部の側面図及び説明的斜視図である。
本実施例では、抜止片５の外面に、段部状に山形の突起３８ａ…を、平行に長さ方向に複数設けて、鋸歯状の抜止用突起３８としたものである。
本実施例においても、抜け止め作用を行うことは、前記した実施例と同様である。
【００４１】
図１０は、本考案に係る係止ピンの第５実施例を示す説明的斜視図である。
本実施例では、抜止片５の外面に、多数の凹凸からなるローレット状の抜止用突起４８を設けたものである。
実施例では、ローレット状の凹凸は、交差する溝間に尖った突起を設けたものであるが、これに代え、細かく、凹凸が明確な山谷を平行にした鋸歯状のものであっても良い。
本実施例においても、抜け止め作用を行うことは、前記した実施例と同様である。
【産業上の利用可能性】
【００４２】
本考案に係る係止ピンは、帆立貝の養殖に好適する。
【図面の簡単な説明】
【００４３】
【図１】本考案の係る帆立貝養殖用の係止ピンの単体を示す斜視図である。
【図２】係止ピンを単体として切り離す直前の状態を示す説明図である。
【図３】係止ピンの一方の先端部の拡大側面図である。
【図４】係止ピンの一方の先端部の拡大平面図で、図３の平面図である。
【図５】係止ピンの先端部である係止部に帆立貝を掛止し、係止ピンが反転した状態における抜止片の抜け止め作用を説明する図である。
【図６】本考案に係る係止ピンの第２実施例を示す説明的斜視図である。
【図７】本考案に係る係止ピンの第３実施例を示す説明的斜視図である。
【図８】本考案に係る係止ピンの第４実施例を示す要部の側面図である。
【図９】図８の実施例の説明的斜視図である。
【図１０】本考案に係る係止ピンの第５実施例を示す説明的斜視図である。
【図１１】（ａ）〜（ｅ）は、帆立貝養殖の説明図で、課題を説明する図である。
【符号の説明】
【００４４】
１…係止ピン、  ２…軸部、  ３…尖鋭な先端部、  ５…抜止片、６…ロープ抜止片、  ８，１８，２８，３８，４８…抜止用突起、９…帆立貝、  ９ａ…耳片、  ９ｂ…掛止孔。
【図１】
0003144968.tif 000003
【図２】
0003144968.tif 000004
【図３】
0003144968.tif 000005
【図４】
0003144968.tif 000006
【図５】
0003144968.tif 000007
【図６】
0003144968.tif 000008
【図７】
0003144968.tif 000009
【図８】
0003144968.tif 000010
【図９】
0003144968.tif 000011
【図１０】
0003144968.tif 000012
【図１１】
0003144968.tif 000013